(57)【要約】【課題】乗員にとってより適切な駐車スペースへの駐車を支援することを可能とした駐車支援システム及び駐車支援装置を提供する。【解決手段】駐車場において駐車が行われた車両から、駐車場が属する施設のジャンルと駐車後の車両に対して行われた乗員の行動とを乗員の行動履歴として収集する一方で、新たに駐車を行う車両において駐車が行われる駐車場の属する施設のジャンルを取得し、収集された乗員の行動履歴に基づいて、駐車が行われる駐車場の属する施設のジャンルに対応する乗員の行動特性を特定し、駐車場内に設けられた駐車スペースの内、特定された乗員の行動特性に対応した駐車スペースへの駐車を支援するように構成する。【選択図】図５
2019158354.tif 000002
【特許請求の範囲】
【請求項１】
駐車場において駐車が行われた車両から、駐車場が属する施設のジャンルと駐車後の車両に対して行われた乗員の行動とを乗員の行動履歴として収集する行動収集手段と、
新たに駐車を行う車両において駐車が行われる駐車場の属する施設のジャンルを取得するジャンル取得手段と、
収集された前記乗員の行動履歴に基づいて、前記ジャンル取得手段によって取得された施設のジャンルに対応する乗員の行動特性を特定する行動特性特定手段と、
駐車場内に設けられた駐車スペースの内、前記行動特性特定手段によって特定された前記乗員の行動特性に対応した駐車スペースを特定する駐車スペース特定手段と、
特定された駐車スペースへの駐車を支援する駐車支援手段と、を有する駐車支援システム。
【請求項２】
施設のジャンル毎に、前記行動特性特定手段によって特定された前記乗員の行動特性に対応した駐車スペースの特性を推定して紐付けるスペース特性推定手段を有し、
前記駐車スペース特定手段は、駐車場内に設けられた駐車スペースの内、駐車場が属する施設のジャンルに紐付けられた駐車スペースの特性に該当する駐車スペースを特定する請求項１に記載の駐車支援システム。
【請求項３】
前記駐車スペースの特性は、
駐車スペースの構造、周辺の障害物の有無、駐車スペースの大きさ、の少なくとも一以上を含む請求項２に記載の駐車支援システム。
【請求項４】
前記駐車後の車両に対して行われた乗員の行動は、
駐車後に開閉対象となったドアの数、ドアの開放量、トランクの開閉の有無、の少なくとも一以上を含む請求項１乃至請求項３のいずれかに記載の駐車支援システム。
【請求項５】
前記駐車スペース特定手段は、車両が駐車場へと進入した場合に、進入した駐車場内に設けられた駐車スペースの内、前記行動特性特定手段によって特定された前記乗員の行動特性に対応した駐車スペースを特定する請求項１乃至請求項４のいずれかに記載の駐車支援システム。
【請求項６】
駐車場において駐車が行われた車両から、駐車場が属する施設のジャンルと駐車後の車両に対して行われた乗員の行動とを乗員の行動履歴として収集する行動収集手段と、
新たに駐車を行う車両において駐車が行われる駐車場の属する施設のジャンルを取得するジャンル取得手段と、
収集された前記乗員の行動履歴に基づいて、前記ジャンル取得手段によって取得された施設のジャンルに対応する乗員の行動特性を特定する行動特性特定手段と、
駐車場内に設けられた駐車スペースの内、前記行動特性特定手段によって特定された前記乗員の行動特性に対応した駐車スペースを特定する駐車スペース特定手段と、
特定された駐車スペースへの駐車を支援する駐車支援手段と、を有する駐車支援装置。
【発明の詳細な説明】
【技術分野】
【０００１】
本発明は、駐車の支援を行う駐車支援システム及び駐車支援装置に関する。
【背景技術】
【０００２】
従来、車両において乗員に提供する情報は、車速やエンジン回転数等のごく限られた情報であった。しかしながら、近年、車載器の機能の向上に伴い車両において乗員に提供する情報が増加してり、例えば、目的地までの案内経路、渋滞情報、店舗等の施設情報等の提供が行われる。また、特に車両が目的地に接近したり到着した際には、車両を駐車する為に必要な情報として駐車場に関する情報を案内することについても行われていた。
【０００３】
ここで、駐車場に関する情報として、特に駐車場内に設けられた車両を駐車する為の駐車スペースの内、空き状態にある駐車スペースの案内を行うことも行われている。また、駐車スペースは同一駐車場内であっても場所毎に条件が大きく異なる。例えば、施設の入口から近い駐車スペースがあれば、施設の入口からは遠いが広い駐車スペースなどが存在する。従って、駐車支援を行う際にはユーザに適した駐車スペースを案内することが需要であった。
【０００４】
そこで、特開２００８−９６３６２号公報には、車両の乗員の駐車に関する嗜好（例えば「施設入口にできる限り近いところに駐車」）を予めユーザに登録させることや過去のユーザの駐車履歴から特定し、駐車場内にある駐車スペースの内、ユーザの嗜好に合う駐車スペースを案内する技術について提案されている。
【先行技術文献】
【特許文献】
【０００５】
【特許文献１】特開２００８−９６３６２号公報（第１３−１４頁）
【発明の概要】
【発明が解決しようとする課題】
【０００６】
しかしながら、駐車スペースに対するユーザの嗜好は、駐車場毎に必ずしも同一ではなく駐車対象となる駐車場によって異なる場合がある。例えば、買い物を行う施設の駐車場では、一般的に施設の入り口に近い駐車スペースが好まれるが、特に大型の荷物の買い物を行うことが多い施設の駐車場では、施設の入り口から近い駐車スペースよりも周辺の空きスペースが広い駐車スペース（即ち荷物の出し入れが行い易い駐車スペース）が好まれる場合もある。上記特許文献１の技術では上記のような駐車場毎のユーザの嗜好について考慮していないので、ユーザに適した駐車スペースを案内することができない場合があった。
【０００７】
本発明は前記従来における問題点を解消するためになされたものであり、駐車場が属する施設のジャンル毎に、該駐車場で駐車を行うユーザの行動に適した駐車スペースを特定することによって、乗員にとってより適切な駐車スペースへの駐車を支援することを可能とした駐車支援システム及び駐車支援装置を提供することを目的とする。
【課題を解決するための手段】
【０００８】
前記目的を達成するため本発明に係る駐車支援システムは、駐車場において駐車が行われた車両から、駐車場が属する施設のジャンルと駐車後の車両に対して行われた乗員の行動とを乗員の行動履歴として収集する行動収集手段と、新たに駐車を行う車両において駐車が行われる駐車場の属する施設のジャンルを取得するジャンル取得手段と、収集された前記乗員の行動履歴に基づいて、前記ジャンル取得手段によって取得された施設のジャンルに対応する乗員の行動特性を特定する行動特性特定手段と、駐車場内に設けられた駐車スペースの内、前記行動特性特定手段によって特定された前記乗員の行動特性に対応した駐車スペースを特定する駐車スペース特定手段と、特定された駐車スペースへの駐車を支援する駐車支援手段と、を有する。
尚、「行動収集手段」は一の乗員のみから行動履歴を収集しても良いし、複数の乗員から行動履歴を収集しても良い。
【０００９】
また、本発明に係る駐車支援装置は、駐車場において駐車が行われた車両から、駐車場が属する施設のジャンルと駐車後の車両に対して行われた乗員の行動とを乗員の行動履歴として収集する行動収集手段と、新たに駐車を行う車両において駐車が行われる駐車場の属する施設のジャンルを取得するジャンル取得手段と、収集された前記乗員の行動履歴に基づいて、前記ジャンル取得手段によって取得された施設のジャンルに対応する乗員の行動特性を特定する行動特性特定手段と、駐車場内に設けられた駐車スペースの内、前記行動特性特定手段によって特定された前記乗員の行動特性に対応した駐車スペースを特定する駐車スペース特定手段と、特定された駐車スペースへの駐車を支援する駐車支援手段と、を有する。
【発明の効果】
【００１０】
前記構成を有する本発明に係る駐車支援システム及び駐車支援装置によれば、駐車場が属する施設のジャンル毎に車両に対する乗員の行動履歴を収集することによって、駐車場が属する施設のジャンル毎に、該駐車場で駐車を行う車両の乗員の行動に適した駐車スペースを特定することが可能となる。その結果、より適切な駐車スペースへの駐車を支援することが可能となる。
【図面の簡単な説明】
【００１１】
【図１】本実施形態に係る駐車支援システムを示した概略構成図である。
【図２】本実施形態に係る駐車支援システムの構成を示したブロック図である。
【図３】収取情報ＤＢに記憶される情報の一例を示した図である。
【図４】行動特性ＤＢに記憶される情報の一例を示した図である。
【図５】推奨駐車スペースＤＢに記憶される情報の一例を示した図である。
【図６】駐車場ＤＢに記憶される情報の一例を示した図である。
【図７】本実施形態に係るナビゲーション装置の制御系を模式的に示すブロック図である。
【図８】本実施形態に係る情報収集処理プログラムのフローチャートである。
【図９】本実施形態に係る推奨駐車スペース特定処理プログラムのフローチャートである。
【図１０】車両の乗員の行動特性についての判定方法を説明した図である。
【図１１】本実施形態に係る駐車支援処理プログラムのフローチャートである。
【図１２】駐車スペースに関する情報の提供方法の一例を示した図である。
【発明を実施するための形態】
【００１２】
以下、本発明に係る駐車支援システムについて具体化した一実施形態に基づき図面を参照しつつ詳細に説明する。先ず、本実施形態に係る駐車支援システム１の概略構成について図１及び図２を用いて説明する。図１は本実施形態に係る駐車支援システム１を示した概略構成図である。図２は本実施形態に係る駐車支援システム１の構成を示したブロック図である。
【００１３】
図１に示すように、本実施形態に係る駐車支援システム１は、駐車支援センタ２が備えるサーバ装置（駐車支援装置）３と、車両４に搭載された車載器であるナビゲーション装置５とを基本的に有する。また、サーバ装置３とナビゲーション装置５は通信ネットワーク網６を介して互いに電子データを送受信可能に構成されている。尚、ナビゲーション装置５は、ナビ機能を有する他の車載器や、携帯電話機、スマートフォン、タブレット型端末、パーソナルコンピュータ等に代えても良い。
【００１４】
ここで、駐車支援センタ２が備えるサーバ装置３は、車両４に対して提供可能な各種情報が記憶されたＤＢを有し、各車両４からの要求に応じて該当する情報を抽出し、配信（提供）する情報配信サーバである。本実施形態では特に、全国にある駐車場内に設けられた駐車スペースに関する情報を配信対象とする。
【００１５】
一方でサーバ装置３は、ナビゲーション装置５から車両４の乗員（ユーザ）の駐車場における行動特性を特定する為の各種情報を収集し、収集した各情報に基づいて駐車場が属する施設のジャンル毎に、該駐車場で駐車を行う車両４の乗員の行動特性を特定することについても行う。そして、特定された車両４の乗員の行動特性に基づいて、駐車場が属する施設のジャンル毎に車両４の乗員の行動特性に応じた駐車スペース（以下、推奨駐車スペースという）の特性を特定する。ここで、車両４の乗員の行動特性に応じた駐車スペースとは、例えば該駐車場での車両の乗員の行動が行い易いと予想される駐車スペースが相当する。尚、推奨駐車スペースの特性は、例えば駐車スペースの構造（機械式、平面式など）、周辺の障害物の有無、駐車スペースの大きさ等によって特定される。一例として、あるジャンルの施設に属する駐車場では、車両の乗員が大型の荷物の出し入れを行うので、平面式でスペースが広いことを推奨駐車スペースの特性とする。
【００１６】
更に、サーバ装置３は、全国各地の駐車場を管理する駐車場管理サーバ７とも通信可能に接続されている。駐車場管理サーバ７は管理対象となる駐車場に設けられた駐車スペースの空き状況の変化を監視するとともに、駐車スペースの現在の空き状態に関する情報をサーバ装置３へと随時送信する。また、駐車場管理サーバ７は管理対象となる駐車場の位置、駐車料金、形式、構造などに関する各種情報についてもサーバ装置３へと送信する。
【００１７】
一方、ナビゲーション装置５は、車両４に搭載され、格納する地図データに基づいて自車位置周辺の地図を表示したり、地図画像上において車両の現在位置を表示したり、設定された案内経路に沿った移動案内を行う車載機である。また、ナビゲーション装置５は車両が駐車場内に進入した際に、サーバ装置３から受信した駐車場内において駐車が推奨される駐車スペースに関する情報を車両４の乗員に対して案内することについても行う。尚、ナビゲーション装置５の詳細については後述する。
【００１８】
また、通信ネットワーク網６は全国各地に配置された多数の基地局と、各基地局を管理及び制御する通信会社とを含み、基地局及び通信会社を有線（光ファイバー、ＩＳＤＮ等）又は無線で互いに接続することにより構成されている。ここで、基地局はナビゲーション装置５との通信をするトランシーバー（送受信機）とアンテナを有する。そして、基地局は通信会社の間で無線通信を行う一方、通信ネットワーク網６の末端となり、基地局の電波が届く範囲（セル）にあるナビゲーション装置５の通信をサーバ装置３との間で中継する役割を持つ。
【００１９】
続いて、駐車支援システム１におけるサーバ装置３の構成について図２を用いてより詳細に説明する。サーバ装置３は、図２に示すようにサーバ制御ＥＣＵ１１と、サーバ制御ＥＣＵ１１に接続された情報記録手段としての収集情報ＤＢ１２と、行動特性ＤＢ１３と、推奨駐車スペースＤＢ１４と、駐車場ＤＢ１５と、サーバ側通信装置１６とを備える。
【００２０】
サーバ制御ＥＣＵ１１（エレクトロニック・コントロール・ユニット）は、サーバ装置３の全体の制御を行う電子制御ユニットであり、演算装置及び制御装置としてのＣＰＵ２１、並びにＣＰＵ２１が各種の演算処理を行うにあたってワーキングメモリとして使用されるＲＡＭ２２、制御用のプログラムのほか、後述の情報収集処理プログラム（図８）、推奨駐車スペース特定処理プログラム（図９）、駐車支援処理プログラム（図１１参照）等が記録されたＲＯＭ２３、ＲＯＭ２３から読み出したプログラムを記憶するフラッシュメモリ２４等の内部記憶装置を備えている。尚、サーバ制御ＥＣＵ１１は、後述のナビゲーション装置５のＥＣＵとともに処理アルゴリズムとしての各種手段を有する。例えば、行動収集手段は、駐車場において駐車が行われた車両から、駐車場が属する施設のジャンルと駐車後の車両に対して行われた乗員の行動とを乗員の行動履歴として収集する。ジャンル取得手段は、新たに駐車を行う車両において駐車が行われる駐車場の属する施設のジャンルを取得する。行動特性特定手段は、収集された乗員の行動履歴に基づいて、ジャンル取得手段によって取得された施設のジャンルに対応する乗員の行動特性を特定する。駐車スペース特定手段は、駐車場内に設けられた駐車スペースの内、行動特性特定手段によって特定された乗員の行動特性に対応した駐車スペースを特定する。駐車支援手段は、特定された駐車スペースへの駐車を支援する。
【００２１】
また、収集情報ＤＢ１２は、全国を走行する各車両４のナビゲーション装置５から収集した駐車場における車両の乗員の行動特性を特定する為の各種情報を格納する記憶手段である。尚、本実施形態においては、車両の乗員の行動特性として、駐車後の車両のドアやトランクの開閉の有無及び開閉の度合いを特定する。一方、ナビゲーション装置５から収集される情報としては、ＡＣＣ電源(accessory power supply)がオフ並びにオンされた地点（即ち車両が駐車された地点）の座標、駐車後の乗員の行動履歴（より具体的にはドアやトランクの開閉履歴）等がある。
【００２２】
図３は収集情報ＤＢ１２に記憶される情報の一例を示した図である。図３に示すように、収集情報ＤＢ１２は、車両の乗員が過去に駐車を行った駐車地点と、該駐車地点での駐車後の乗員の行動履歴として、ドアやトランクの開閉履歴に関する情報が含まれる。例えば、駐車後に開放されたドアの数及び開放量、同じく駐車後におけるトランクの開放の有無及び開放された場合には開放量が収集される。尚、開放量については、例えば『普通（７０％未満）』と『大きく（７０％以上）』の２段階で区分される。尚、収集情報ＤＢ１２は、ナビゲーション装置５から取得した情報に基づいて随時更新される。更に、収集情報ＤＢ１２には必ずしも上述した全ての情報を収集する必要は無く、例えばトランクに関する情報は除いてドアの数及び開放量のみを収集対象としても良い。また、車両の乗員が駐車を行った駐車地点としては座標ではなく、駐車を行った駐車場名や駐車場ＩＤ等を格納しても良い。
【００２３】
一方、行動特性ＤＢ１３は、収集情報ＤＢ１２に格納された情報から特定された車両４の乗員の駐車場における行動特性を記憶する記憶手段である。尚、本実施形態においては、駐車場が属する施設のジャンル毎に、該駐車場で駐車を行う車両４の乗員の行動特性を特定する。また、駐車場における行動特性としては、『駐車後に開放されるドアの数及び開放量』、『駐車後におけるトランクの開放の有無及び開放量』を特定する。
【００２４】
図４は行動特性ＤＢ１３に記憶される情報の一例を示した図である。図４に示すように、行動特性ＤＢ１３は、駐車場が属する施設のジャンル毎に、『駐車後に開放されるドアの数及び開放量』と『駐車後におけるトランクの開放の有無及び開放量』が記憶される。また、行動特性ＤＢ１３は、収集情報ＤＢ１２に格納された情報に基づいて定期的（例えば２４時間毎）に更新される。
【００２５】
また、推奨駐車スペースＤＢ１４は、駐車場が属する施設のジャンル毎に、駐車場で駐車を行うのに推奨される推奨駐車スペースの特性（条件或いは要件）を記憶する記憶手段である。尚、推奨駐車スペースの特性は、行動特性ＤＢ１３において判定された車両４の乗員の駐車場における行動特性に基づいて判定され、具体的には駐車場での車両の乗員の行動が行い易いと予想される駐車スペースの特性となる。例えば乗員の行動特性としてドアやトランクの開放数や開放量が大きい駐車場程、人の乗り降りや荷物の出し入れがし易いこと、即ちより広く周囲に障害物の無いことが推奨駐車スペースの特性となる。尚、推奨駐車スペースの特性は、『駐車スペースの構造（機械式、平面式）』、『駐車スペースの周囲において柱や樹木などの障害物があるか否か』、『駐車スペースの背面側に壁があるか否か』、『駐車スペースの大きさ』によって特定される。
【００２６】
図５は推奨駐車スペースＤＢ１４に記憶される情報の一例を示した図である。図５に示すように、推奨駐車スペースＤＢ１４は、駐車場が属する施設のジャンル毎に、『駐車スペースの構造（機械式、平面式）』、『駐車スペースの周囲において柱や樹木などの障害物があるか否か』、『駐車スペースの背面側に壁があるか否か』、『駐車スペースの大きさ』によって推奨駐車スペースの特性が特定されている。例えばテーマパークに属する駐車場では、平面式の駐車スペースであって、駐車スペースの周囲において柱や樹木などの障害物がなく、駐車スペースの背面側に壁もなく、サイズが標準より大きいことが推奨駐車スペースの特性として特定されている。一方、スーパーに属する駐車場では、平面式で合ってサイズが標準以上であることが推奨駐車スペースの特性として特定されている。また、推奨駐車スペースＤＢ１４は、行動特性ＤＢ１３に格納された情報に基づいて定期的（例えば２４時間毎）に更新される。
【００２７】
一方、駐車場ＤＢ１５は、全国各地にある駐車場について駐車場の構造（駐車スペースの配置及びサイズ、柱、樹木、壁などの障害物の配置等）と駐車スペースの空き状態を記憶する記憶手段である。
【００２８】
図６は駐車場ＤＢ１５に記憶される情報の一例を示した図である。図６に示すように、駐車場ＤＢ１５は、全国にある駐車場毎に区分して駐車場の構造と駐車スペースの空き状態に関する情報が含まれる。駐車スペースの空き状態については、駐車場内に設けられた駐車スペース毎に、空き状態か満状態のいずれにあるかを特定する情報となる。尚、駐車スペースの空き状態を特定する情報については駐車場管理サーバ７から随時送信され、送信された情報に基づいて更新される。
尚、駐車場ＤＢ１５は省略しても良い。その場合には、必要に応じて駐車場管理サーバ７と通信を行うことによって駐車場に関する各種情報を取得するようにする。
【００２９】
また、サーバ側通信装置１６は情報の送受信対象となる各車両４のナビゲーション装置５と通信ネットワーク網６を介して通信を行う為の通信装置である。また、ナビゲーション装置５以外にインターネット網や、交通情報センタ、例えば、ＶＩＣＳ（登録商標：Vehicle Information and Communication System）センタ等から送信された渋滞情報、規制情報、交通事故情報等の各情報から成る交通情報の受信についても可能である。
【００３０】
次に、ナビゲーション装置５の概略構成について図７を用いて説明する図７は本実施形態に係るナビゲーション装置５であるナビゲーション装置の制御系を模式的に示すブロック図である。
【００３１】
図７に示すように本実施形態に係るナビゲーション装置５は、ナビゲーション装置５が搭載された車両４の現在位置を検出する現在位置検出部３１と、各種のデータが記録されたデータ記録部３２と、入力された情報に基づいて、各種の演算処理を行うナビゲーションＥＣＵ３３と、ユーザからの操作を受け付ける操作部３４と、ユーザに対して地図や目的地までの案内経路を表示する液晶ディスプレイ３５と、経路案内に関する音声ガイダンスを出力するスピーカ３６と、記憶媒体であるＤＶＤを読み取るＤＶＤドライブ３７と、サーバ装置３やＶＩＣＳセンタ等との間で通信を行う通信モジュール３８と、を有する。また、ナビゲーション装置５はＣＡＮ等の車載ネットワークを介して、ドアセンサ３９及びトランクセンサ４０等が接続されている。
【００３２】
以下に、ナビゲーション装置５を構成する各構成要素について順に説明する。
現在位置検出部３１は、ＧＰＳ４１、車速センサ４２、ステアリングセンサ４３、ジャイロセンサ４４等からなり、現在の車両の位置、方位、車両の走行速度、現在時刻等を検出することが可能となっている。ここで、特に車速センサ４２は、車両の移動距離や車速を検出する為のセンサであり、車両の駆動輪の回転に応じてパルスを発生させ、パルス信号をナビゲーションＥＣＵ３３に出力する。そして、ナビゲーションＥＣＵ３３は発生するパルスを計数することにより駆動輪の回転速度や移動距離を算出する。尚、上記４種類のセンサをナビゲーション装置５が全て備える必要はなく、これらの内の１又は複数種類のセンサのみをナビゲーション装置５が備える構成としても良い。
【００３３】
また、データ記録部３２は、外部記憶装置及び記録媒体としてのハードディスク（図示せず）と、ハードディスクに記録された地図情報ＤＢ４５、車両情報ＤＢ４６及び所定のプログラム等を読み出すとともにハードディスクに所定のデータを書き込む為のドライバである記録ヘッド（図示せず）とを備えている。尚、データ記録部３２をハードディスクの代わりに不揮発性メモリ、メモリーカード、ＣＤやＤＶＤ等の光ディスクにより構成しても良い。
【００３４】
ここで、地図情報ＤＢ４５は、例えば、道路（リンク）に関するリンクデータ、ノード点に関するノードデータ、経路の探索や変更に係る処理に用いられる探索データ、施設に関する施設データ、地図を表示するための地図表示データ、各交差点に関する交差点データ、地点を検索するための検索データ等が記憶された記憶手段である。尚、地図情報を外部のサーバから取得する場合については地図情報ＤＢ４５は必ずしも必要でない。
【００３５】
また、車両情報ＤＢ４６は、車両に関する各種情報が記憶された記憶手段である。具体的には、走行履歴、駐車履歴、ドアやトランクの開閉履歴等が記憶される。車両情報ＤＢ４６に記憶された情報は車両の乗員の行動特性を特定する為の情報としてサーバ装置３へと定期的に送信される。
【００３６】
一方、ナビゲーションＥＣＵ（エレクトロニック・コントロール・ユニット）３３は、ナビゲーション装置５の全体の制御を行う電子制御ユニットであり、演算装置及び制御装置としてのＣＰＵ５１、並びにＣＰＵ５１が各種の演算処理を行うにあたってワーキングメモリとして使用されるとともに、経路が探索されたときの経路データ等が記憶されるＲＡＭ５２、制御用のプログラムのほか、後述の駐車支援処理プログラム（図１１参照）等が記録されたＲＯＭ５３、ＲＯＭ５３から読み出したプログラムを記憶するフラッシュメモリ５４等の内部記憶装置を備えている。
【００３７】
操作部３４は、走行開始地点としての出発地及び走行終了地点としての目的地を入力する際等に操作され、各種のキー、ボタン等の複数の操作スイッチ（図示せず）を有する。そして、ナビゲーションＥＣＵ３３は、各スイッチの押下等により出力されるスイッチ信号に基づき、対応する各種の動作を実行すべく制御を行う。尚、操作部３４は液晶ディスプレイ３５の前面に設けたタッチパネルを有しても良い。また、マイクと音声認識装置を有しても良い。
【００３８】
また、液晶ディスプレイ３５には、道路を含む地図画像、交通情報、操作案内、操作メニュー、キーの案内、出発地から目的地までの案内経路、案内経路に沿った案内情報、ニュース、天気予報、時刻、メール、テレビ番組等が表示される。特に本実施形態では、車両が駐車場内に進入した際に、駐車が推奨される駐車スペースを案内するのにも用いられる。尚、液晶ディスプレイ３５の代わりに、ＨＵＤやＨＭＤを用いても良い。
【００３９】
また、スピーカ３６は、ナビゲーションＥＣＵ３３からの指示に基づいて案内経路に沿った走行を案内する音声ガイダンスや、交通情報の案内を出力する。特に本実施形態では、車両が駐車場内に進入した際に、駐車が推奨される駐車スペースを案内する音声を出力するのにも用いられる。
【００４０】
また、ＤＶＤドライブ３７は、ＤＶＤやＣＤ等の記録媒体に記録されたデータを読み取り可能なドライブである。そして、読み取ったデータに基づいて音楽や映像の再生、地図情報ＤＢ４５の更新等が行われる。尚、ＤＶＤドライブ３７に替えてメモリーカードを読み書きする為のカードスロットを設けても良い。
【００４１】
また、通信モジュール３８は、例えば、サーバ装置３やＶＩＣＳセンタ等から送信された支援情報、交通情報等の各情報を受信する為の通信装置であり、例えば携帯電話機やＤＣＭが該当する。
【００４２】
また、ドアセンサ３９は車両の各ドアに設置され、ドアの開閉状態を検出する為のセンサである。ドアセンサ３９は、ドアの開放の有無に加えて開放量（開放の角度）についても検出可能なセンサとする。そして、本実施形態に係るナビゲーション装置５では、ドアセンサ３９の検出結果に基づいて、車両に設置されたドアの内、現在開放状態にあるドアの種類や開放量を特定することが可能となる。
【００４３】
また、トランクセンサ４０は、車両のトランクに設置され、トランクの開閉状態を検出する為のセンサである。トランクセンサ４０は、トランクの開放の有無に加えて開放量（開放の角度）についても検出可能なセンサとする。そして、本実施形態に係るナビゲーション装置５では、トランクセンサ４０の検出結果に基づいて、トランクが開放されているか否か、及び開放されている場合には開放量を特定することが可能となる。
【００４４】
続いて、前記構成を有する本実施形態に係る駐車支援システム１を構成するサーバ装置３においてＣＰＵ２１が実行する情報収集処理プログラムについて図８に基づき説明する。図８は本実施形態に係る情報収集処理プログラムのフローチャートである。ここで、情報収集処理プログラムは全国各地を走行する車両からの情報の送信に応じて実行され、車両の乗員の駐車場における行動履歴を収集するプログラムである。尚、以下の図８、図９及び図１１にフローチャートで示されるプログラムは、ナビゲーションＥＣＵ３３が備えているＲＡＭ５２やＲＯＭ５３又はサーバ装置３が備えているＲＡＭ２２やＲＯＭ２３等に記憶されており、ＣＰＵ５１又はＣＰＵ２１により実行される。
【００４５】
先ず、情報収集処理プログラムではステップ（以下、Ｓと略記する）１において、ＣＰＵ２１は、車両４から情報の送信があったか否かを判定する。尚、車両４はＡＣＣ電源(accessory power supply)がＯＮされてからＯＦＦされるまでの間の任意のタイミング（ＯＮ時、ＯＦＦ時も含む）で、情報をサーバ装置３へと送信することが可能である。また、本実施形態ではＡＣＣ電源(accessory power supply)がオフ並びにオンされた地点（即ち車両が駐車された駐車地点）の座標、及び駐車後の乗員の行動履歴としてドアやトランクの開閉履歴を車両４からサーバ装置３へと送信する。尚、車両側はＧＰＳ４１を用いて駐車地点の座標を検出する。また、ドアセンサ３９やトランクセンサ４０を用いて駐車後のドアやトランクの開閉有無や開放量を検出する。
【００４６】
次に、Ｓ２においてＣＰＵ２１は、車両４から送信された各情報を受信する。更に、Ｓ３においてＣＰＵ２１は、受信した各情報を、駐車地点とその駐車地点での行動履歴とで組み合わせて図３に示すように収集情報ＤＢ１２に格納する。同一の駐車地点の行動履歴が既に存在する場合については基本的に累積して格納することとするが、最新の情報へと更新（上書き）しても良い。
【００４７】
尚、前記Ｓ２で各車両４から受信し、前記Ｓ３で収集情報ＤＢ１２に格納される「行動履歴」としては、駐車後に開放されたドアの数及び開放量と、同じく駐車後におけるトランクの開放の有無及び開放された場合には開放量とが含まれる。尚、開放量については、例えば『普通（７０％未満）』と『大きく（７０％以上）』の２段階で区分される。
【００４８】
尚、前記Ｓ３で収集情報ＤＢ１２に格納された各情報は、後述の推奨駐車スペース特定処理プログラム（図９）において駐車場における車両の乗員の行動特性を特定するのに用いられる。
【００４９】
次に、本実施形態に係る駐車支援システム１を構成するサーバ装置３においてＣＰＵ２１が実行する推奨駐車スペース特定処理プログラムについて図９に基づき説明する。図９は本実施形態に係る推奨駐車スペース特定処理プログラムのフローチャートである。ここで、推奨駐車スペース特定処理プログラムは所定時間間隔（例えば２４時間間隔）で実行され、収集情報ＤＢ１２に収集された各種情報に基づいて、駐車場が属する施設のジャンル毎に、駐車場における車両の乗員の行動特性と駐車場で駐車を行うのに推奨される推奨駐車スペースの特性とを特定するプログラムである。
【００５０】
先ず、推奨駐車スペース特定処理プログラムではＳ１１において、ＣＰＵ２１は、収集情報ＤＢ１２に格納された各種情報の内、車両の乗員の行動特性を特定する対象となる施設のジャンルに属する駐車場に関する情報を抽出する。尚、抽出される情報は、前述したように駐車場における車両の乗員の過去の行動履歴であり、ドアやトランクの開閉履歴を含む。
【００５１】
そして、ＣＰＵ２１は抽出した情報を統計することによって、施設のジャンル毎に、属する駐車場での車両の乗員の行動特性を特定する。車両の乗員の行動特性は、『駐車後に開放されるドアの数及び開放量』、『駐車後におけるトランクの開放の有無及び開放量』で特定される。そして対象となる全ての施設のジャンルに対して車両の乗員の行動特性を特定した後にＳ１２へと移行する。
【００５２】
例えば、図１０はある特定のジャンルの施設に属する車両の乗員の行動履歴として、『駐車後に開放されるドアの数』の分布を示した図である。図１０に示す例では『駐車後に開放されるドアの数』は“２”と“３”に偏っている。従って、該当するジャンルの施設に属する駐車場では、乗員が駐車後に２〜３か所のドアを開閉する傾向にあることが分かる。従って、乗員の行動特性として、駐車後に開放されるドアの数が“２〜３”であると特定される。尚、行動特性の特定方法は上記方法に限られることなく、例えば最頻値を乗員の行動特性として特定しても良い。
同様にして、『駐車後に開放されるドアの数』以外の行動特性についても施設のジャンル毎に特定する。
【００５３】
また、車両の乗員の現在の行動特性を判定する為に、上記Ｓ１１の判定処理では、収集情報ＤＢ１２に格納された情報の内、現時点から過去所定期間以内（例えば過去１年以内）に収集した直近の情報を用いるのが望ましい。
【００５４】
その後、Ｓ１２においてＣＰＵ２１は、前記Ｓ１１の判定結果に基づいて行動特性ＤＢ１３を更新する。行動特性ＤＢ１３は、図４に示すように施設のジャンル毎に区分して、駐車場における車両の乗員の行動特性が紐付けられて格納される。
【００５５】
次に、Ｓ１３においてＣＰＵ２１は、前記Ｓ１２で新たに生成した行動特性ＤＢ１３に基づいて推奨駐車スペースＤＢ１４を更新する。ここで、推奨駐車スペースＤＢ１４は、図５に示すように駐車場が属する施設のジャンル毎に、駐車場で駐車を行うのに推奨される推奨駐車スペースの特性を紐付けて格納したデータベースである。尚、推奨駐車スペースの特性は、『駐車スペースの構造（機械式、平面式）』、『駐車スペースの周囲において柱や樹木などの障害物があるか否か』、『駐車スペースの背面側に壁があるか否か』、『駐車スペースの大きさ』によって特定される。
【００５６】
ここで、推奨駐車スペースの特性は、行動特性ＤＢ１３において判定された車両４の乗員の駐車場における行動特性に基づいて特定される。具体的には、駐車場での車両の乗員の行動が行い易いと予想される駐車スペースの特性となる。例えば乗員の行動特性としてドアやトランクの開放数や開放量が大きい駐車場程、人の乗り降りや荷物の出し入れがし易い駐車スペース、即ちより広く周囲に障害物の無いことが推奨駐車スペースの特性となる。例えば、図４に示す車両の乗員の行動特性では、テーマパーク、アウトレットモール、家具屋の駐車場ではドアやトランクの開放数や開放量が大きい特性を有する。従って、図５に示すようにそれらのジャンルの施設に対しては、駐車スペースの周囲において柱や樹木などの障害物がなく、駐車スペースの背面側に壁もなく、サイズの大きいことが推奨駐車スペースの特性として特定される。一方で、スーパーやコンビニエンスストアの駐車場ではドアやトランクの開放数や開放量が小さい或いは開放しない特性を有する。従って、図５に示すようにそれらのジャンルの施設に対しては、周囲の障害物や壁、駐車スペースのサイズについてはあまり考慮しない推奨駐車スペースの特性が特定される。
【００５７】
次に、本実施形態に係る駐車支援システム１を構成するサーバ装置３及びナビゲーション装置５において実行する駐車支援処理プログラムについて図１１に基づき説明する。図１１は本実施形態に係る駐車支援処理プログラムのフローチャートである。ここで、駐車支援処理プログラムは車両４のＡＣＣ電源(accessory power supply)がＯＮされた後に実行され、車両の乗員に適した駐車スペースを案内するプログラムである。
【００５８】
先ず、ナビゲーション装置５において実行される駐車支援処理プログラムについて説明する。
Ｓ２１においてＣＰＵ５１は、現在位置検出部３１により検出した車両の現在位置と地図情報とに基づいて、車両がいずれかの駐車場内に進入したか否かを判定する。尚、車両に設置されたカメラで撮像した撮像画像に基づいて駐車場への進入を判定しても良い。
【００５９】
そして、車両がいずれかの駐車場内に進入したと判定された場合（Ｓ２１：ＹＥＳ）には、Ｓ２２へと移行する。それに対して、車両が駐車場内へと進入していないと判定された場合（Ｓ２１：ＮＯ）には、当該駐車支援処理プログラムを終了する。
【００６０】
Ｓ２２においてＣＰＵ５１は、サーバ装置３に対して駐車スペースに関する情報の要求を指示する情報要求指示を送信する。情報要求指示には、当該ナビゲーション装置５の設置された車両の乗員を識別するＩＤと、車両が進入した駐車場を識別するＩＤとを含む。その後、後述のようにナビゲーション装置５から情報要求指示を受信したサーバ装置３において車両の乗員にとって駐車が推奨される駐車スペースの選別及び配信が行われる（Ｓ３２〜Ｓ３９）。尚、車両が進入した駐車場を識別するＩＤの代わりに、駐車場の属する施設を識別するＩＤを送信しても良い。或いは車両の現在位置を送信しても良い。その場合には、サーバ装置３側で車両が進入した駐車場を識別する。また、ナビゲーション装置５において目的地が設定されている場合には目的地の情報を送信しても良い。
【００６１】
続いて、Ｓ２３においてＣＰＵ５１は、情報要求指示信号の送信に応じてサーバ装置３から配信された情報を受信する。前記Ｓ２３で受信する情報は、車両の乗員に対して駐車を推奨する駐車スペースを指示する情報であり、具体的には現在空き状態にあって、且つ車両の乗員の行動特性に対応した（車両の乗員の行動が行い易いと予想される）駐車スペースである。尚、指示される駐車スペースの数は１のみであっても良いし、２以上あっても良い。該当する駐車スペースは後述のＳ３２〜Ｓ３９の処理でサーバ装置３により特定される。
【００６２】
その後、Ｓ２４においてＣＰＵ５１は、前記Ｓ２３で受信した駐車スペースを案内する案内情報を液晶ディスプレイ３５やスピーカ３６を用いて出力する。例えば、図１２は前記Ｓ２４においてナビゲーション装置５で出力される駐車スペースの案内情報の一例として、液晶ディスプレイ３５に表示される駐車スペース案内画面６１を示した図である。
【００６３】
図１２に示すように駐車スペース案内画面６１には、駐車場の全体図６２と、車両の現在位置を示す自車位置マーク６３と、駐車を推奨する駐車スペースを識別する識別マーク６４とが表示される。その結果、車両の乗員は駐車スペース案内画面６１を視認することによって車両の駐車すべき駐車位置を容易に把握することが可能となる。尚、駐車スペースの案内は音声案内で行っても良い。
【００６４】
更に、駐車支援の手段としては上述した駐車スペースの案内以外に車両制御を行っても良い。例えば車両の走行制御の一部または全部を車両側で行う自動運転走行を行う車両に対して適用する場合には、自動運転により該当する駐車スペースまでの走行を自動で行う支援を行っても良い。
【００６５】
次に、サーバ装置３において実行される駐車支援処理プログラムについて説明する。
先ず、Ｓ３１においてＣＰＵ２１は、全国を走行する各車両４から駐車スペースに関する情報の要求を指示する情報要求指示の送信があるか否か判定する。
【００６６】
そして、情報要求指示の送信があると判定された場合（Ｓ３１：ＹＥＳ）には、送信される情報要求指示を受信する（Ｓ３２）。尚、情報要求指示信号には、当該ナビゲーション装置５の設置された車両の乗員を識別するＩＤと、車両が進入した駐車場を識別するＩＤとを含む。その後、Ｓ３３へと移行する。
【００６７】
一方、情報要求指示の送信がないと判定された場合（Ｓ３１：ＮＯ）には、当該駐車支援処理プログラムを終了する。
【００６８】
Ｓ３３においてＣＰＵ２１は、前記Ｓ３２で受信した駐車場ＩＤと地図情報とを用いて、情報要求指示の送信元の車両が進入した駐車場が属する施設のジャンルを取得する。尚、車両が進入した駐車場が施設に属さない独立した駐車場である場合には、ジャンル無しと判定する。
【００６９】
次に、Ｓ３４においてＣＰＵ２１は、推奨駐車スペースＤＢ１４を参照し、推奨駐車スペースＤＢ１４に前記Ｓ３３で取得した施設のジャンルが含まれているか否かを判定する。尚、推奨駐車スペースＤＢ１４は、駐車場が属する施設のジャンル毎に、駐車場で駐車を行うのに推奨される推奨駐車スペースの特性を記憶したデータベース（図５参照）であり、上述した推奨駐車スペース特定処理プログラム（図９）において生成される。
【００７０】
そして、推奨駐車スペースＤＢ１４に前記Ｓ３３で取得した施設のジャンルが含まれていると判定された場合（Ｓ３４：ＹＥＳ）には、Ｓ３５へと移行する。それに対して、推奨駐車スペースＤＢ１４に前記Ｓ３３で取得した施設のジャンルが含まれていないと判定された場合、或いは前記Ｓ３３でジャンルが特定できていない場合（Ｓ３４：ＮＯ）には、当該駐車支援処理プログラムを終了する。尚、その場合にはナビゲーション装置５において推奨される駐車スペースが無いことを乗員に案内しても良いし、駐車スペースの案内自体を行わないようにしても良い。
【００７１】
Ｓ３５においてＣＰＵ２１は、推奨駐車スペースＤＢ１４を参照し、推奨駐車スペースＤＢ１４に前記Ｓ３３で取得した施設のジャンルに紐付けられた推奨駐車スペースの特性が含まれているか否かを判定する。
【００７２】
そして、推奨駐車スペースＤＢ１４に前記Ｓ３３で取得した施設のジャンルに紐付けられた推奨駐車スペースの特性が含まれていると判定された場合（Ｓ３５：ＹＥＳ）には、Ｓ３６へと移行する。それに対して、推奨駐車スペースＤＢ１４に前記Ｓ３３で取得した施設のジャンルに紐付けられた推奨駐車スペースの特性が含まれていないと判定された場合（Ｓ３５：ＮＯ）には、当該駐車支援処理プログラムを終了する。尚、その場合にはナビゲーション装置５において推奨される駐車スペースが無いことを乗員に案内しても良いし、駐車スペースの案内自体を行わないようにしても良い。
【００７３】
次に、Ｓ３６においてＣＰＵ２１は、駐車場ＤＢ１５を参照し、情報要求指示の送信元の車両の乗員が進入した駐車場に関する情報を抽出する。具体的には、駐車場の構造や駐車スペースの空き状況に関する情報を抽出する。
【００７４】
その後、Ｓ３７においてＣＰＵ２１は、推奨駐車スペースＤＢ１４から前記Ｓ３３で取得した施設のジャンルに紐付けられた推奨駐車スペースの特性を取得する。そして、情報要求指示の送信元の車両の乗員が進入した駐車場が有する駐車スペースの内、推奨駐車スペースの特性に該当する少なくとも一以上の駐車スペースが空き状態にあるか否かを判定する。尚、推奨駐車スペースの特性に該当する駐車スペースは、前記Ｓ３３で取得された施設のジャンルにおける駐車場での乗員の行動特性に対応した駐車スペースである。
【００７５】
そして、推奨駐車スペースの特性に該当する少なくとも一以上の駐車スペースが空き状態にあると判定された場合（Ｓ３７：ＹＥＳ）には、当該空き状態にある駐車スペースを案内対象とする駐車スペース（以下、案内対象駐車スペースという）に特定する（Ｓ３８）。その後、Ｓ３９へと移行する。
【００７６】
一方、推奨駐車スペースの特性に該当する駐車スペースが空き状態にないと判定された場合（Ｓ３７：ＮＯ）には、当該駐車支援処理プログラムを終了する。尚、その場合にはナビゲーション装置５において推奨される駐車スペースが無いことを乗員に案内しても良いし、駐車スペースの案内自体を行わないようにしても良い。或いは、空き状態にある駐車スペースの内、推奨駐車スペースの特性に最も近い駐車スペースを案内対象駐車スペースとしても良い。
【００７７】
また、複数の空き状態にある駐車スペースが推奨駐車スペースの特性に該当する場合には、最も条件の良い駐車スペースのみを案内対象駐車スペースとして特定しても良いし、特性に該当する全ての駐車スペースを案内対象駐車スペースとして特定しても良い。
【００７８】
その後、Ｓ３９においてＣＰＵ２１は、前記Ｓ３８で特定された案内対象駐車スペースに関する情報を要求元のナビゲーション装置５へと配信する。その後、ナビゲーション装置５において配信された案内対象駐車スペースの案内情報の出力が行われる（Ｓ２４）。
【００７９】
尚、サーバ装置３ではなくナビゲーション装置５において、上記Ｓ３２〜Ｓ３９の処理を実行させる構成としても良い。その場合には、収集情報ＤＢ１２、行動特性ＤＢ１３、推奨駐車スペースＤＢ１４及び駐車場ＤＢ１５をサーバ装置３からナビゲーション装置５へと配信するように構成する。また、推奨駐車スペース特定処理プログラム（図９）についてもナビゲーション装置５で実行させる構成としても良い。その場合には、ナビゲーション装置５が本発明の駐車支援装置に相当することとなる。
【００８０】
以上詳細に説明した通り、本実施形態に係る駐車支援システム１及びサーバ装置３では、駐車場において駐車が行われた車両から、駐車場が属する施設のジャンルと駐車後の車両に対して行われた乗員の行動とを乗員の行動履歴として収集する（Ｓ２）一方で、新たに駐車を行う車両において駐車が行われる駐車場の属する施設のジャンルを取得し（Ｓ３３）、収集された乗員の行動履歴に基づいて、駐車が行われる駐車場の属する施設のジャンルに対応する乗員の行動特性を特定し（Ｓ３８）、駐車場内に設けられた駐車スペースの内、特定された乗員の行動特性に対応した駐車スペースへの駐車を支援する（Ｓ３９）ので、駐車場で駐車を行う車両の乗員の行動に適した駐車スペースを特定することが可能となる。その結果、より適切な駐車スペースへの駐車を支援することが可能となる。
【００８１】
尚、本発明は前記実施形態に限定されるものではなく、本発明の要旨を逸脱しない範囲内で種々の改良、変形が可能であることは勿論である。
例えば、本実施形態では、一のサーバ装置３が施設のジャンル毎に車両の乗員の行動特性や推奨駐車スペースの特性を判定する処理と、駐車スペースの情報提供に係る処理とをそれぞれ行っているが、施設のジャンル毎に車両の乗員の行動特性や推奨駐車スペースの特性を判定する処理と駐車スペースの情報提供に係る処理は別々のサーバ装置が行うようにしても良い。例えば、サーバ装置３が他のサーバ装置で特定された施設のジャンル毎の推奨駐車スペースの特性を受信して、駐車スペースの情報提供を行うようにしても良い。
【００８２】
また、本実施形態では、車両が駐車場内に進入した際に、進入した駐車場において車両の乗員に駐車が推奨される駐車スペースの情報提供を行うこととしているが、駐車スペースの情報提供は車両が駐車場に進入する前に行っても良い。例えば、目的地が駐車場を有する施設である場合には、目的地から所定距離（例えば５０ｍ）以内に接近した場合に、接近した駐車場を対象としてＳ３２以降の処理を行い、駐車スペースの情報提供を行うようにしても良い。
【００８３】
また、本実施形態では、駐車場における車両の乗員の行動特性として『駐車後に開放されるドアの数及び開放量』と『駐車後におけるトランクの開放の有無及び開放量』を特定しているが、他の行動特性を特定しても良い。例えば、『乗車時のエアコンの操作』であっても良い。尚、乗車時にエアコンの操作を行う駐車場に関しては、屋根の下にあることを推奨駐車スペースの特性とすることが可能である。
【００８４】
また、本実施形態では不特定多数のユーザの行動履歴から駐車場における車両の乗員の行動特性を特定しているが、駐車支援を行う対象となるユーザの行動履歴のみから特定しても良い。
【００８５】
また、本実施形態では図８に示す推奨駐車スペース特定処理プログラムの実行主体は、サーバ装置３であったが、ナビゲーション装置５が一部又は全部を実行する構成としても良い。また、ナビゲーション装置５の代わりに、情報提供機能を有する他の装置で駐車支援システム１を構成することも可能である。例えば、携帯電話機、スマートフォン、タブレット端末、パーソナルコンピュータ等が可能である。
【００８６】
また、本発明に係る駐車支援システムを具体化した実施例について上記に説明したが、駐車支援システムは以下の構成を有することも可能であり、その場合には以下の効果を奏する。
【００８７】
例えば、第１の構成は以下のとおりである。
駐車場において駐車が行われた車両から、駐車場が属する施設のジャンルと駐車後の車両に対して行われた乗員の行動とを乗員の行動履歴として収集する行動収集手段（２１）と、新たに駐車を行う車両において駐車が行われる駐車場の属する施設のジャンルを取得するジャンル取得手段（２１）と、収集された前記乗員の行動履歴に基づいて、前記ジャンル取得手段によって取得された施設のジャンルに対応する乗員の行動特性を特定する行動特性特定手段（２１）と、駐車場内に設けられた駐車スペースの内、前記行動特性特定手段によって特定された前記乗員の行動特性に対応した駐車スペースを特定する駐車スペース特定手段（２１）と、特定された駐車スペースへの駐車を支援する駐車支援手段（２１、５１）と、を有する。
上記構成を有する駐車支援システムによれば、駐車場が属する施設のジャンル毎に車両に対する乗員の行動履歴を収集することによって、駐車場が属する施設のジャンル毎に、該駐車場で駐車を行う車両の乗員の行動に適した駐車スペースを特定することが可能となる。その結果、より適切な駐車スペースへの駐車を支援することが可能となる。
【００８８】
また、第２の構成は以下のとおりである。
施設のジャンル毎に、前記行動特性特定手段（２１）によって特定された前記乗員の行動特性に対応した駐車スペースの特性を推定して紐付けるスペース特性推定手段（２１）を有し、前記駐車スペース特定手段（２１）は、駐車場内に設けられた駐車スペースの内、駐車場が属する施設のジャンルに紐付けられた駐車スペースの特性に該当する駐車スペースを特定する。
上記構成を有する駐車支援システムによれば、予め駐車場が属する施設のジャンル毎に、該駐車場で駐車を行う車両の乗員の行動に適した駐車スペースを紐付けてデータベース化することによって、より適切で且つ迅速な駐車スペースへの駐車を支援することが可能となる。
【００８９】
また、第３の構成は以下のとおりである。
前記駐車スペースの特性は、駐車スペースの構造、周辺の障害物の有無、駐車スペースの大きさ、の少なくとも一以上を含む。
上記構成を有する駐車支援システムによれば、駐車スペースの構造、周辺の障害物の有無、駐車スペースの大きさを考慮して、駐車を行う車両の乗員の行動に適した駐車スペースを特定することが可能となる。
【００９０】
また、第４の構成は以下のとおりである。
前記駐車後の車両に対して行われた乗員の行動は、駐車後に開閉対象となったドアの数、ドアの開放量、トランクの開閉の有無、の少なくとも一以上を含む。
上記構成を有する駐車支援システムによれば、駐車後に開閉対象となったドアの数、ドアの開放量、トランクの開閉の有無を考慮することによって、特に乗員の乗り降りや荷物の積み下ろしを考慮した適切な駐車スペースへの支援を行うことが可能となる。
【００９１】
また、第５の構成は以下のとおりである。
前記駐車スペース特定手段（２１）は、車両が駐車場へと進入した場合に、進入した駐車場内に設けられた駐車スペースの内、前記行動特性特定手段（２１）によって特定された前記乗員の行動特性に対応した駐車スペースを特定する。
上記構成を有する駐車支援システムによれば、車両が駐車場内に進入した際に、駐車が推奨される駐車スペースを特定することが可能となる。その結果、駐車場に進入してから駐車を完了するまでに必要な時間を短縮することが可能となる。
【符号の説明】
【００９２】
１              駐車支援システム
２              駐車支援センタ
３              サーバ装置
４              車両
５              ナビゲーション装置
１１            サーバ制御ＥＣＵ
１２            収集情報ＤＢ
１３            行動特性ＤＢ
１４            推奨駐車スペースＤＢ
１５            駐車場ＤＢ
２１            ＣＰＵ
２２            ＲＡＭ
２３            ＲＯＭ
【図１】
2019158354.tif 000003
【図２】
2019158354.tif 000004
【図３】
2019158354.tif 000005
【図４】
2019158354.tif 000006
【図５】
2019158354.tif 000007
【図６】
2019158354.tif 000008
【図７】
2019158354.tif 000009
【図８】
2019158354.tif 000010
【図９】
2019158354.tif 000011
【図１０】
2019158354.tif 000012
【図１１】
2019158354.tif 000013
【図１２】
2019158354.tif 000014